(57)【要約】      （修正有）【課題】展開状態の折り曲げ位置や切り込みを簡素化し、組み立て作業を簡易に行うことができる紙製の物品用スタンドを提供する。【解決手段】展開状態で全体形状が略長方形で、第１折曲部及び第２折曲部を境界として、第１から第３の３つの略長方形部１１０，１２０，１３０を備え、各略長方形部１１０、１２０，１３０に側縁折り曲げ片１１２，１２２，１３２を設け、第１略長方形部１１０に差し込み口を形成し、第３略長方形部１３０に差し込み片を形成すると共に、第２略長方形部１２０に物品挿入口１２５を形成した。展開状態では、第１及び第２折曲部と各側縁折り曲げ片１１２，１２２，１３２における折り曲げ箇所の加工と物品挿入口１２５等を形成するための切り込みが数カ所設けられていればよく、加工は極めて簡易である。【選択図】図１
0003153000.tif 000002
【実用新案登録請求の範囲】
【請求項１】
紙材を組み立てて形成される物品用スタンドであって、
前記紙材は、展開状態で全体形状が略長方形に形成されていると共に、
一方の短辺部と略平行に該短辺部から所定間隔おいた内側に形成された第１折曲部、
他方の短辺部と前記第１折曲部との間に略平行に形成された第２折曲部、
一方の短辺部と第１折曲部との間の第１略長方形部、
第１折曲部と第２折曲部との間の第２略長方形部、
第２折曲部と他方の短辺部との間の第３略長方形部、
前記第１略長方形部、第２略長方形部及び第３略長方形部の各側縁に形成された所定幅の側縁折り曲げ片、
前記第１略長方形部における一方の短辺部と第１折曲部との間に形成された差し込み口、
前記第３略長方形部における他方の短辺部から外方に突出して設けられ、前記差し込み口に挿入される差し込み片、
前記第２略長方形部に形成された物品挿入口
を有してなり、
前記第１略長方形部及び第３略長方形部が、前記第１折曲部及び第２折曲部から前記差し込み口及び差し込み片を接近させる方向に折り曲げられて、前記差し込み口に前記差し込み片が挿入され、
前記第１略長方形部の各側縁折り曲げ片が共に略９０度内向きに折り曲げられ、
前記第３略長方形部の各側縁折り曲げ片が共に９０度より大きい角度で内向きに折り曲げられていると共に、該各側縁折り曲げ片における他方の短辺部寄りの部位が、略９０度内向きに折り曲げられた状態の前記第１略長方形部の各側縁折り曲げ片の内側に位置し、
前記第２略長方形部の各側縁折り曲げ片は、共に、該各側縁折り曲げ片における第１折曲部寄りの部位が、略９０度内向きに折り曲げられた状態の前記第１略長方形部の各側縁折り曲げ片の外側に位置する一方、第２折曲部寄りの部位が９０度より大きい角度で内向きに折り曲げられて組み立てられ、
前記第１略長方形部の側縁折り曲げ片以外の部位が背面部を構成し、前記第２略長方形部の側縁折り曲げ片以外の部位が後傾正面部を構成し、前記第３略長方形部の側縁折り曲げ片以外の部位が底面部を構成すると共に、
側面から見て第２折曲部が前端接地部となり、第１略長方形部の各側縁折り曲げ片の端縁が後端接地部となっている物品用スタンド。
【請求項２】
前記前端接地部と後端接地部とを水平面に接地させた際に、側面から見て、前記背面部が前傾するように、前記第１略長方形部、前記第２略長方形部及び前記第３略長方形部の各側縁折り曲げ片に沿った長さが設定されている請求項１記載の物品用スタンド。
【請求項３】
前記背面部の前傾角度と同じ角度分、前記後端接地部を形成する前記第１略長方形部の各側縁折り曲げ片の端縁が、展開時において、背面部を構成する部位との境界部から外側に向かって斜めに形成されている請求項２記載の物品用スタンド。
【請求項４】
前記背面部の前傾角度が、５度〜２５度の範囲に設定されている請求項２又は３記載の物品用スタンド。
【請求項５】
前記後傾正面部と前記底面部とのなす角が、２５度〜４５度の範囲に設定されている請求項１〜４のいずれか１に記載の物品用スタンド。
【請求項６】
前記後傾正面部を構成する第２略長方形部に形成された物品挿入口は、平面視で横向きの略コ字状で切り欠くことにより形成され、略コ字状に切り欠かれた内側の部位が物品抑え片を構成している請求項１〜５のいずれか１に記載の物品用スタンド。
【請求項７】
前記第１略長方形部、第２略長方形部及び第３略長方形部の少なくとも一部に広告宣伝用の印刷が施されている請求項１〜６のいずれか１に記載の物品用スタンド。
【請求項８】
展開状態における全体の大きさがハガキ大であると共に、切り落とし箇所及び切り込み箇所にミシン目が施されている請求項７記載の物品用スタンド。
【考案の詳細な説明】
【技術分野】
【０００１】
本考案は物品用スタンドに関し、特に紙材を組み立てて形成される物品用スタンドに関する。
【背景技術】
【０００２】
特許文献１，２には、紙製携帯電話機用スタンドが開示されている。この紙製携帯電話機用スタンドは、厚紙ないしは段ボールを折り曲げて形成するものであるが、側面から見て略直角二等辺三角形をなすように組み立てられ、側面を構成する部分では、三角状折り込み片、三角状内壁、方形状内壁及び側板外壁を少なくとも部分的に３層以上となるように重ね合わせて組み立てられたものである。同様に、背面を構成する部分は垂直片及び背板を重ね合わせて組み立てられたものである。
【先行技術文献】
【特許文献】
【０００３】
【特許文献１】実用新案登録第３０９７１３１号公報
【特許文献２】特開２００４−３１３２６７号公報
【考案の概要】
【考案が解決しようとする課題】
【０００４】
特許文献１，２のものは、紙材に所定の強度をもたせるために、上記のように紙材同士をほとんどの部分で２層若しくは３層以上に重ねている。このようにほとんどの部分で２層以上に重ね合わせるためには、折り曲げて組み立てる前の展開状態の形状を極めて複雑にしなければならず、また、紙材として比較的大きな面積のものを使用する必要があり、紙材自体の材料コスト並びに複雑な切り込みや折り曲げ線等を設けるための加工コストが高くつく。また、折り曲げ位置が複雑であることから、組立工程が煩雑で組立時間もかかる。組み立てに手間がかかるようでは年齢層等を問わず一般に広く普及させることは難しい。
【０００５】
本考案は上記に鑑みなされたものであり、展開状態の折り曲げ位置や切り込みが従来よりも簡素化され、また、紙材自体の展開状態の大きさも従来より小さいものを使用でき、さらに、組み立て作業を極めて簡易に行うことができる紙製の物品用スタンドを提供することを課題とする。
【課題を解決するための手段】
【０００６】
上記課題を解決するため、本考案の物品用スタンドは、紙材を組み立てて形成される物品用スタンドであって、前記紙材は、展開状態で全体形状が略長方形に形成されていると共に、一方の短辺部と略平行に該短辺部から所定間隔おいた内側に形成された第１折曲部、他方の短辺部と前記第１折曲部との間に略平行に形成された第２折曲部、一方の短辺部と第１折曲部との間の第１略長方形部、第１折曲部と第２折曲部との間の第２略長方形部、第２折曲部と他方の短辺部との間の第３略長方形部、前記第１略長方形部、第２略長方形部及び第３略長方形部の各側縁に形成された所定幅の側縁折り曲げ片、前記第１略長方形部における一方の短辺部と第１折曲部との間に形成された差し込み口、前記第３略長方形部における他方の短辺部から外方に突出して設けられ、前記差し込み口に挿入される差し込み片、前記第２略長方形部に形成された物品挿入口を有してなり、前記第１略長方形部及び第３略長方形部が、前記第１折曲部及び第２折曲部から前記差し込み口及び差し込み片を接近させる方向に折り曲げられて、前記差し込み口に前記差し込み片が挿入され、前記第１略長方形部の各側縁折り曲げ片が共に略９０度内向きに折り曲げられ、前記第３略長方形部の各側縁折り曲げ片が共に９０度より大きい角度で内向きに折り曲げられていると共に、該各側縁折り曲げ片における他方の短辺部寄りの部位が、略９０度内向きに折り曲げられた状態の前記第１略長方形部の各側縁折り曲げ片の内側に位置し、前記第２略長方形部の各側縁折り曲げ片は、共に、該各側縁折り曲げ片における第１折曲部寄りの部位が、略９０度内向きに折り曲げられた状態の前記第１略長方形部の各側縁折り曲げ片の外側に位置する一方、第２折曲部寄りの部位が９０度より大きい角度で内向きに折り曲げられて組み立てられ、前記第１略長方形部の側縁折り曲げ片以外の部位が背面部を構成し、前記第２略長方形部の側縁折り曲げ片以外の部位が後傾正面部を構成し、前記第３略長方形部の側縁折り曲げ片以外の部位が底面部を構成すると共に、側面から見て第２折曲部が前端接地部となり、第１略長方形部の各側縁折り曲げ片の端縁が後端接地部となっていることを特徴とする。
【０００７】
前記前端接地部と後端接地部とを水平面に接地させた際に、側面から見て、前記背面部が前傾するように、前記第１略長方形部、前記第２略長方形部及び前記第３略長方形部の各側縁折り曲げ片に沿った長さが設定されていることが好ましい。前記背面部の前傾角度と同じ角度分、前記後端接地部を形成する前記第１略長方形部の各側縁折り曲げ片の端縁が、展開時において、背面部を構成する部位との境界部から外側に向かって斜めに形成されていることが好ましい。前記背面部の前傾角度が、５度〜２５度の範囲に設定されていることが好ましい。前記後傾正面部と前記底面部とのなす角が、２５度〜４５度の範囲に設定されていることが好ましい。前記後傾正面部を構成する第２略長方形部に形成された物品挿入口は、平面視で横向きの略コ字状で切り欠くことにより形成され、略コ字状に切り欠かれた内側の部位が物品抑え片を構成していることが好ましい。前記第１略長方形部、第２略長方形部及び第３略長方形部の少なくとも一部に広告宣伝用の印刷が施されていることが好ましい。展開状態における全体の大きさがハガキ大であると共に、切り落とし箇所及び切り込み箇所にミシン目が施されている構成とすることができる。
【考案の効果】
【０００８】
本考案は、展開状態で全体形状が略長方形で、第１折曲部及び第２折曲部を境界として、第１から第３の３つの略長方形部を備え、その各略長方形部にそれぞれ側縁折り曲げ片を設け、第１略長方形部に差し込み口を形成し、第３略長方形部に差し込み片を形成すると共に、第２略長方形部に物品挿入口を形成した構成である。従って、展開状態では、第１及び第２折曲部と各側縁折り曲げ片における折り曲げ箇所の加工と物品挿入口等を形成するための切り込みが数カ所設けられていればよく、展開状態での加工は極めて簡易である。また、折り曲げ箇所が少なく、組み立てた状態で紙材同士が重なり合う部分が少ないため、展開状態の紙材自体として必要な面積も従来より小さくでき、紙材自体の材料コスト、加工コストは極めて安価にすることができる。
【０００９】
また、折り曲げ箇所が第１折曲部、第２折曲部及び各側縁折り曲げ片と各略長方形部との境界部だけであるにも拘わらず、背面部を構成する第１略長方形部の各側縁折り曲げ片と後傾正面部を構成する第２略長方形部の各側縁折り曲げ片の隣接部付近を重ね合わせるという構成により、物品挿入口に物品を挿入して保持した際に必要な強度を持たせることができる。
【００１０】
また、差し込み口が第１略長方形部における一方の短辺部と第１折曲部との間に形成され、差し込み片が第３略長方形部における他方の短辺部から外方に突出して設けられているため、差し込み口に差し込み片を挿入した際には、底面部を構成する第３略長方形部が水平にはならずに後部ほど上方に位置するようになるため、背面部を形成する第１略長方形部は、組み立て状態では前傾姿勢になる。これにより、物品挿入口に物品を挿入した際に、該物品が、背面部を形成する第１略長方形部の上縁に当接して支えられる。このとき、背面部の前傾角度と同じ角度分、後端接地部を形成する第１略長方形部の各側縁折り曲げ片の端縁が、展開時において、背面部を構成する部位との境界部から外側に向かって斜めに切り欠き形成されている構成とすることにより、組み立て状態で水平面に接地した際には、後端接地部の全長さが水平面に接地するため、紙材を用いて数カ所折り曲げて簡易に製作したものでありながら、物品の支持を確実に行うことができる。
【００１１】
また、展開状態の折り曲げ箇所のくせ付けや切り込み箇所が少ないため、必要な切り落とし箇所をミシン目で形成し、略長方形の展開状態のままで提供することができる。また、紙材であるため、印刷も容易であると共に、上記のように極めて安価に製作できるため、販促用の景品、ダイレクトメール等として使用することが可能である。そして、組み立てが容易であるため、景品やダイレクトメール等として受け取った者が、それを組み立てて物品用スタンドとして使用する可能性が高くなり、広告宣伝用の印刷を施しておけば、当該使用者に景品やダイレクトメール等として手元に渡ったタイミングだけに限らず、広告宣伝媒体としの機能を長期間発揮することが期待できる。
【００１２】
また、後傾正面部を構成する第２略長方形部に形成された物品挿入口を、平面視で横向きの略コ字状で切り欠いて形成することにより、略コ字状に切り欠かれた内側の部位が、物品挿入口に挿入された物品を抑える物品抑え片として機能する。従って、物品挿入口に挿入可能な大きさのものであれば、多少小さなものや薄いものでもこの物品抑え片によって抑えられることで安定するため、携帯電話機、携帯型ゲーム機、携帯型音楽プレーヤー、眼鏡、文房具など種々の物品を保持することができ、汎用性が高い。
【図面の簡単な説明】
【００１３】
【図１】図１は、本考案の一の実施形態に係る物品用スタンドの全体構成を示した斜視図である。
【図２】図２は、上記実施形態に係る物品用スタンドの展開図である。
【図３】図３は、ハガキの機能を備えた上記実施形態に係る物品用スタンドの展開図である。
【図４】図４は、上記実施形態に係る物品用スタンドの正面図である。
【図５】図５は、上記実施形態に係る物品用スタンドの背面図である。
【図６】図６は、上記実施形態に係る物品用スタンドの平面図である。
【図７】図７は、上記実施形態に係る物品用スタンドの底面図である。
【図８】図８は、上記実施形態に係る物品用スタンドの右側面図である。
【図９】図９は、図４のＡ−Ａ線断面図である。
【図１０】図１０は、図６のＢ−Ｂ線断面図である。
【図１１】図１１（ａ）〜（ｃ）は、上記実施形態に係る物品用スタンドの組み立て方を説明するための図である。
【図１２】図１２は、上記実施形態に係る物品用スタンドに携帯電話機を支持した状態を示した斜視図である。
【考案を実施するための形態】
【００１４】
以下、本考案の実施形態を図面に基づいて更に詳しく説明する。図１〜図１０に示したように、本実施形態の物品用スタンド１は、第１略長方形部１１０、第２略長方形部１２０及び第３略長方形部１３０を有して構成される。
【００１５】
まず、図２に示した展開図の状態を説明する。物品用スタンド１は全体形状が略長方形の紙材１０から形成されている。紙材の種類は限定されるものではないが、例えば、厚さ０．１ｍｍ〜１ｍｍ程度のもの、好ましくは厚さ０．２ｍｍ〜０．５ｍｍ程度のものを用いていることができる。
【００１６】
略長方形に形成された紙材１０の一方の短辺部１１１と略平行に、該一方の短辺部１１１から所定間隔おいた内側に第１折曲部１４０が形成され、他方の短辺部１３１と第１折曲部１４０との間にそれらと略平行に第２折曲部１５０が形成されている。そして、一方の短辺部１１１と第１折曲部１４０との間が第１略長方形部１１０となり、第１折曲部１４０と第２折曲部１５０との間が第２略長方形部１２０となり、第２折曲部１５０と他方の短辺部１３１との間が第３略長方形部１３０となっている。
【００１７】
第１略長方形部１１０は、両側部に所定幅の側縁折り曲げ片１１２，１１２が形成されており、２つの側縁折り曲げ片１１２，１１２に挟まれた部位が背面部１１３を構成する。側縁折り曲げ片１１２，１１２は、背面部１１３との境界部１１４，１１４から折り曲げ可能になっている。第１略長方形部１１０における一方の短辺部１１１と第１折曲部１４０との間の中間よりもやや一方の短辺部１１１寄りに該一方の短辺部１１１と略平行に所定長さの切り込みからなる差し込み口１１５が形成されている。
【００１８】
ここで、側縁折り曲げ片１１２，１１２の一方の端縁１１２ａ，１１２ａ（組立状態で「後端接地部」となる）は、一方の短辺部１１１に対して、境界部１１４，１１４からそれぞれ外側に向かって斜めに形成されている。一方の短辺部１１１と端縁１１２ａ，１１２ａとのなす角θ１は、組立状態における背面部１１３の前傾角度θ２（図８参照）と同じ角度に形成される。これにより、背面部１１３を所定の前傾角度θ２で組み立てた際には、後端接地部となる一方の端縁１１２ａ，１１２ａはその全長に亘って水平面に接地可能となり、背面部１１３を所定の前傾角度θ２で安定して支持できることになる。物品挿入口１２５から挿入される物品は、背面部１１３側に寄りかかり、その上縁１１３ａに接して支えられることになるが、その際の物品の荷重を安定して受けるためには、一方の端縁１１２ａ，１１２ａを上記のように斜めに切り欠き形成することが好ましい。一方の短辺部１１１と一方の端縁１１２ａ，１１２ａとのなす角θ１及び組立状態における背面部１１３の前傾角度θ２の好ましい角度は５度〜２５度、より好ましくは１０度〜２０度の範囲である。
【００１９】
側縁折り曲げ片１１２，１１２の他方の端縁１１２ｂ，１１２ｂが、第１折曲部１４０の延長線上になっている場合には、組立時において、該他方の端縁１１２ｂ，１１２ｂが第２略長方形部１２０の内面に当接してしまい、第２略長方形部１２０の後傾正面部１２３の後傾姿勢及び背面部１１３の前傾姿勢が崩れることになる。従って、他方の端縁１１２ｂ，１１２ｂは、第１折曲部１４０の延長線に対し、所定の角度θ３だけ斜めに切り欠かれていることが好ましい。これにより、図９に示したように、他方の端縁１１２ｂ，１１２ｂが第２略長方形部１２０の内面に当接せず、後傾正面部１２３の後傾姿勢及び背面部１１３の前傾姿勢を崩すことがない。
【００２０】
第２略長方形部１２０は、第１略長方形部１１０と同様に、両側部に所定幅の側縁折り曲げ片１２２，１２２が形成され、２つの側縁折り曲げ片１２２，１２２に挟まれた部位が組立時において後傾正面部１２３を構成する。そして、側縁折り曲げ片１２２，１２２は、後傾正面部１２３との境界部１２４，１２４から折り曲げ可能になっている。
【００２１】
側縁折り曲げ片１２２，１２２において第１略長方形部１１０側に位置する一方の端縁１２２ａ，１２２ａは、第１折曲部１４０の延長線上ではなく、境界部１２４，１２４から若干斜めに切り欠かれている。側縁折り曲げ片１２２，１２２のうちの一方の端縁１２２ａ，１２２ａ寄りの部位は、後述のように、第１略長方形部１１０の側縁折り曲げ片１１２，１１２の外側に位置させるため(図１及び図８参照）、該一方の端縁１２２ａ，１２２ａが第１折曲部１４０の延長線上になっていると、機能上は支障はないが、該一方の端縁１２２ａ，１２２ａの角部が背面部１１３よりも後方に突出して外観を損なうことから上記のように切り欠いたものである。他方の端縁１２２ｂ，１２２ｂも第２折曲部１５０の延長線上ではなく、若干斜めに切り欠いているが、後述のように、他方の端縁１２２ｂ，１２２ｂ寄りの部位を内方に折り曲げる際の折り曲げ易さを考慮したものであり、他方の端縁１２２ｂ，１２２ｂに関しては、斜めに切り欠くことは必須ではない。
【００２２】
後傾正面部１２３には、平面視で「コ」字を略９０度横向きにした形状（以下、「横向きの略コ字状」という）で所定幅で切り欠かれた物品挿入口１２５が形成されている。物品挿入口１２５は、より詳細には、第１折曲部１４０と第２折曲部１５０との間の略中央部に、略直線状の両サイド部１２５ａ，１２５ａの端部が位置し、第１折曲部１４０に沿って両サイド部１２５ａ，１２５ａ同士を接続する中間接続部１２５ｂが位置し、これらが所定幅で切り欠かれて形成されていると共に、両サイド部１２５ａ，１２５ａと中間接続部１２５ｂとの境界付近は、アール状になるように切り欠かれている。この結果、後傾正面部１２３における横向きの略コ字状の物品挿入口１２５の内側に、第１折曲部１４０側が円弧になっている略半円状のフラップ状の部位が形成され、このフラップ状の部位が物品挿入口１２５に物品を挿入した際に該物品をその弾性によって抑える物品抑え片１２６として機能する。
【００２３】
第３略長方形部１３０は、第１略長方形部１１０及び第２略長方形部１２０と同様に、両側部に所定幅の側縁折り曲げ片１３２，１３２が形成されている。そして、２つの側縁折り曲げ片１３２，１３２に挟まれた部位が組立時において底面部１３３を構成する。側縁折り曲げ片１３２，１３２の各端縁１３２ａ，１３２ａ及び１３２ｂ，１３２ｂは、それぞれ第２折曲部１５０及び他方の短辺部１３１の延長線上にあるようにしてもよいが、一方の端縁１３２ａ，１３２ａは、上記第２略長方形部１２０の他方の端縁１２２ｂ，１２２ｂと同様に、内方に折り曲げる際の折り曲げ易さを考慮して底面部１３３との境界部１３４，１３４から若干斜めに切り欠いている。
【００２４】
第３略長方形部１３０における他方の短辺部１３１には、外方に突出する差し込み片１３５が設けられている。この差し込み片１３５は、平面視で長楕円状になっており、第１略長方形部１１０に形成した差し込み口１１５に差し込むと、該差し込み片１３５の基部１３５ａが差し込み口１１５に引っ掛かるようになっている。
【００２５】
ここで、第１略長方形部１１０の一方の短辺部１１１と第１折曲部１４０との間の側縁折り曲げ片１１２に沿った長さ（図３のＸ）、第２略長方形部１２０の第１折曲部１４０と第２折曲部１５０との間の側縁折り曲げ片１２２に沿った長さ（図３のＹ）、第３略長方形部１３０の第２折曲部１５０と他方の短辺部１３１との間の側縁折り曲げ片１３２に沿った長さ（図３のＺ）は、第１略長方形部１１０の背面部１１３が角度θ２で前傾するように、Ｘが最も短く、後傾正面部１２３を構成するＹが最も長く、Ｚが両者の間の長さとなるように調整される。
【００２６】
また、紙材１０の表面には、第１略長方形部１１０、第２略長方形部１２０及び第３略長方形部１３０の少なくとも一部に広告宣伝用の印刷を施すことが好ましい(図１２参照）。これにより、物品用スタンド１として組み立てた際に、印刷された広告宣伝が使用者に視認させることができる。特に、使用者の目に入りやすい第２略長方形部１２０の後傾正面部１２３に印刷を施しておくと効果的である。
【００２７】
また、紙材１０は、図３に示したように、展開状態における全体の大きさをハガキ大の略長方形としておき、第１略長方形部１１０の差し込み口１１５、各側縁折り曲げ片１１２，１１２，１２２，１２２，１３２，１３２の端縁１１２ａ，１１２ｂ，１２２ａ，１２２ｂ，１３２ａ、第２略長方形部１２０の物品挿入口１２５の周縁、第３略長方形部１３０の差し込み片１３５の周縁に沿ってミシン目を施しておき、使用者が、ミシン目に沿った切り落とし箇所（図３の斜線部）及び切り込み箇所（差し込み口１１５）を切り落とすことにより、図２に示した展開状態の形になるようにすることもできる。この場合には、ハガキ大の紙材１０をそのままダイレクトメール等として使用できる。
【００２８】
次に、本実施形態の物品用スタンド１の組み立て方法を図１１に基づいて説明する。まず、図１１（ａ）に示したように、第１略長方形部１１０、第２略長方形部１２０及び第３略長方形部１３０の両側の側縁折り曲げ片１１２，１１２，１２２，１２２，１３２，１３２をそれぞれの境界部１１４，１１４，１２４，１２４，１３４，１３４から裏面（広告宣伝用の印刷が施された表面の裏面）側へ内方に向かって折り曲げる。
【００２９】
次に、図１１（ｂ）に示したように、第２折曲部１５０から第３略長方形部１３０と第２略長方形部１２０とを裏面側に二つ折りにする。このとき、第２略長方形部１２０の側縁折り曲げ片１２２，１２２の他方の端縁１２２ｂ，１２２ｂ付近と第３略長方形部１３０の側縁折り曲げ片１３２，１３２の一方の端縁１３２ａ，１３２ａ付近（図１１（ｂ）において符号「Ａ」で示した部分）を押さえ付けるようにして第２折曲部１５０から折り曲げる。
【００３０】
次に、図１１（ｃ）に示したように、第１折曲部１４０から第１略長方形部１１０を折り曲げ、第１略長方形部１１０の差し込み口１１５に第３略長方形部１３０の差し込み片１３５を差し込む。これにより、第２略長方形部１２０の側縁折り曲げ片１２２，１２２と第３略長方形部１３０の側縁折り曲げ片１３２，１３２がそれぞれ全域に亘って９０度より大きな角度で内方に向かって折り曲げられた状態となっている。また、第１略長方形部１１０の側縁折り曲げ片１１２，１１２は、略９０度内方（前方）に折り曲げられた状態となっていると共に、該側縁折り曲げ片１１２，１１２は押さえ付けられていないため、その位置が自由になっている。
【００３１】
そこで、第２略長方形部１２０の側縁折曲部１２２，１２２のうち、一方の端縁１２２ａ，１２２ａ側の部位（第１折曲部１４０寄りの部位，図１１（ｃ）において符号「Ｂ」で示した部位）を外方に引き出し、第１略長方形部１１０の側縁折り曲げ片１１２，１１２の外側に重なるようにする。第２略長方形部１２０の側縁折曲部１２２，１２２のうちその長手方向略中途よりも第１折曲部１４０寄りの部位がこのように外方に引き出されても、第２折曲部１５０寄りの部位は、９０度よりも大きな角度で内方に折り曲げられているため（図１、図１２参照）、第１折曲部１４０寄りの部位には、内方に引き込まれる方向の力が働く。従って、第１折曲部１４０寄りの部位が、第１略長方形部１１０の側縁折り曲げ片１１２，１１２の外側に重なっていると、内方に引き込もうとする力により、第１略長方形部１１０の側縁折り曲げ片１１２，１１２を略９０度前方に折れ曲がった角度で保持することになる。第１略長方形部１１０の側縁折り曲げ片１１２，１１２の一方の端縁１１２ａ，１１２ａは後端接地部を形成するが、このように略９０度前方に折れ曲がった角度で保持されるため、物品が挿入された際の荷重をしっかりと支えることができる。
【００３２】
このようにして組み立てられると、第２折曲部１５０が前端接地部となると共に、上記のように、第１略長方形部１１０の側縁折り曲げ片１１２，１１２の一方の端縁１１２ａ，１１２ａが後端接地部となって、テーブル、机、任意の台、床等の適宜の面に置かれる。そして、図３の示したＸ，Ｙ，Ｚの長さ関係が上記のように設定されているため、背面部１１３は、上記のように角度θ２前傾し、第１略長方形部１１０の側縁折り曲げ片１１２，１１２の一方の端縁１１２ａ，１１２ａの後端接地部が、該端縁１１２ａ，１１２ａの幅の全てが実質的にテーブル面等に接するようになっている。また、第２略長方形部１２０の側縁折り曲げ片１２２，１２２の第２折曲部１５０寄りの部位及び第３略長方形部１３０の側縁折り曲げ片１３２，１３２はいずれも９０度よりも大きな角度で内方に折り曲げられているため、後傾正面部１２３及び底面部１３３はいずれも両側付近が二重になっている。従って、物品を物品挿入口１２５に差し込んだ場合に、本実施形態の物品用スタンド１は形崩れを起こすことなく、物品の荷重を確実に支える。
【００３３】
物品として例えば携帯電話機を挿入する際には、まず、物品抑え片１２６を若干手前に引き起こし、それにより隙間が若干大きくなった物品挿入口１２５に携帯電話機を挿入する。そして、物品抑え片１２６から手を離すと、物品抑え片１２６の弾性により、携帯電話機の正面側を押さえ付ける。これにより、携帯電話機の裏面側が背面部１１３の上縁に接し、該背面部１１３及び側縁折り曲げ片１１２，１１２によって荷重を支える（図１２参照）。
【００３４】
なお、携帯電話機等の所定の長さの物品を物品挿入口１２５から挿入して確実に支持するに当たって、物品が物品挿入口１２５から所定の長さ内部に挿入する必要があることから、後傾正面部１２３と底面部１３３とのなす角が、２５度〜４５度の範囲、好ましくは３０度〜４０度となるように、各長方形部１１０〜１３０の大きさ（図３のＸ，Ｙ，Ｚの長さ）、差し込み口１１５の形成位置等を設定することが好ましい。
【産業上の利用可能性】
【００３５】
本考案の物品用スタンドは、携帯電話機のほか、携帯型ゲーム機、携帯型音楽プレーヤー、眼鏡、文房具など種々の物品を保持するために用いることができる。
【符号の説明】
【００３６】
１  物品用スタンド
１０  紙材
１１０  第１略長方形部
１１１  一方の短辺部
１１２  側縁折り曲げ片
１１３  背面部
１１４  境界部
１１５  差し込み口
１２０  第２略長方形部
１２２  側縁折り曲げ片
１２３  後傾正面部
１２４  境界部
１２５  物品挿入口
１２６  物品抑え片
１３０  第３略長方形部
１３１  他方の短辺部
１３２  側縁折り曲げ片
１３３  底面部
１３４  境界部
１３５  差し込み片口
【図１】
0003153000.tif 000003
【図２】
0003153000.tif 000004
【図３】
0003153000.tif 000005
【図４】
0003153000.tif 000006
【図５】
0003153000.tif 000007
【図６】
0003153000.tif 000008
【図７】
0003153000.tif 000009
【図８】
0003153000.tif 000010
【図９】
0003153000.tif 000011
【図１０】
0003153000.tif 000012
【図１１】
0003153000.tif 000013
【図１２】
0003153000.tif 000014